(57)【要約】【課題】映像や音声素材等のコンテンツの記録再生方法において、コンテンツの編集情報が失われたり、故意に改変される問題を解決し、コンテンツの再生順序を変更することが出来ないコンテンツの記録再生方法を提供することを目的とする。【解決手段】素材Ａ１には素材Ａ１、Ｂ３の識別コードがウォーターマークとして埋め込まれて記録する。コンテンツ再生時は素材に埋め込まれた識別コードを検出し、次に再生する素材を検索、再生を行うステップを繰り返す。【選択図】  図１
2004265527.tif 000002
【特許請求の範囲】
【請求項１】
映像もしくは音声から構成されるコンテンツの素材を識別する識別コードをウォーターマークとして素材に挿入するステップを有し、
前記識別コードには素材が記録されている記録媒体の個体識別情報および記録媒体のどこに記録されているかを示す位置情報が含まれることを特徴とするコンテンツの記録再生方法。
【請求項２】
連続する第１の素材と第２の素材において第１の素材には第２の素材の識別コードが挿入されていることを特徴とする請求項１記載のコンテンツの記録再生方法。
【請求項３】
第２の素材の識別コードは第１の素材の再生時間終了付近に挿入されたことを特徴とする請求項２記載のコンテンツの記録再生方法。
【請求項４】
第２の素材の識別コードは第１の素材の中に分散して埋め込まれたことを特徴とする請求項２記載のコンテンツの記録再生方法。
【請求項５】
第１の素材の再生を開始するステップと第１の素材に挿入された識別コードを検出するステップを有し、第１の素材の再生を開始するステップの後に、
第１の素材に挿入された識別コードを検出し、検出された第２の素材の再生を開始することを特徴とする請求項２記載のコンテンツの記録再生方法。
【発明の詳細な説明】
【０００１】
【発明の属する技術分野】
本発明は、ビデオ及び／又はオーディオ素材から構成されたコンテンツの記録再生方法に関するものである。
【０００２】
【従来の技術】
近年、ＴＶ番組などのコンテンツを制作する現場では従来のテープを用いた編集システムからコンピューターを用いたノンリニア編集システムへの移行が進んでいる。ノンリニア編集システムではコンテンツを構成するビデオ素材やオーディオ素材などにはそれぞれ固有の識別コードが付加されている。識別コードには素材に関する情報（収録場所、日時、収録内容、著作権情報など）が含まれており、この識別コードをもとに素材の検索や編集を容易に行うことが出来るようになっている。
【０００３】
以下に従来のコンテンツの記録再生方法について説明する。
【０００４】
図６は従来のコンテンツ制作システムの図である。図６において１はネットワーク、２Ａ〜２Ｃはサーバーである。Ａ１、Ａ３、Ｂ３、Ｃ２はサーバーに記録されている素材であり、オーディオ素材やビデオ素材で構成される。ａ１、ａ３、ｂ３、ｃ２は素材の識別コードである。３は記録再生端末である。１５はコンテンツ、１６はコンテンツ１５の編集情報である。
【０００５】
以上のように構成されたコンテンツ制作システムにおいて以下その動作について説明する。
【０００６】
識別コードには素材に関する情報（収録場所、日時、収録内容、著作権情報など）と、記録されているサーバーの個体識別情報とサーバーのどの位置に記録されているかを示す位置情報が含まれており、機録再生端末３が素材を探すときはこの識別情報を参照する。
【０００７】
記録再生端末３がサーバーに記録されている各素材を加工、編集して一つのコンテンツ１５を作成する場合は、コンテンツ１５の編集情報１６を作成する。編集情報１６にはコンテンツ１５に含まれる素材の識別コードとその再生順序などが含まれる。
【０００８】
コンテンツ１５を再生する場合は、編集情報１６が必要となる。編集情報１６をもとにまず素材Ａ１をサーバーから検索して再生を開始する。以後は同様に編集情報１６の再生順序に沿って順次素材を連続的に再生する。
【０００９】
コンテンツ１５を新しいひとつの素材としてサーバーに記録する方法も考えられるが、コンテンツは素材の集合体でありデータ量は素材よりもはるかに大きく、サーバーの容量を必要以上に消費するため編集情報を作成する方法が広く用いられている。
【００１０】
また識別コードは素材と関連付けられたデータであり、記録媒体上には物理的に異なる位置に記録されているため、なんらかのトラブルで識別コードが壊れたり失われた場合は素材の識別が出来なくなる。このようなトラブルを回避するために識別コードをウォーターマークとして素材に埋め込むという方法が採用される。
【００１１】
【特許文献１】
特開２００２−３１２８０５号公報
【００１２】
【発明が解決しようとする課題】
しかしながら、上記の従来のコンテンツの記録再生方法では、素材と編集情報が独立して存在するために編集情報が失われたり、故意に改変された場合には正常にコンテンツを再生できなくなるという問題があった。また編集情報にはコンテンツの再生順序が含まれるので編集情報を解読すればコンテンツの再生順序を変更することも可能となるなど、製作者の意図に反した再生が行われるという問題があった。
【００１３】
本発明は上記従来の問題点を解決するもので、コンテンツの再生順序を変更することが出来ないコンテンツの記録再生方法を提供するものである。
【００１４】
【課題を解決するための手段】
この目的を達成するために本発明のコンテンツの記録再生方法は、映像と音声から構成されるコンテンツの素材を識別する識別コードをウォーターマークとして素材に挿入するステップを有し、連続する第１の素材と第２の素材において第１の素材には第２の素材の識別コードを挿入して記録するステップを有することを特徴とする。またコンテンツを再生するときは第１の素材を再生するステップと、ウォーターマークとして埋め込まれた識別コードを検出するステップと、検出された識別コードが指定する第２の素材を再生するステップを有することを特徴とする。
【００１５】
以上のような構成により、記録されたコンテンツは再生順序を変更することができなくなる。
【００１６】
【発明の実施の形態】
本発明の請求項１に記載の発明は、映像と音声から構成されるコンテンツの素材を識別する識別コードをウォーターマークとして素材に挿入するステップを有し、前記識別コードには素材が記録されている記録媒体の個体識別情報および記録媒体のどこに記録されているかを示す位置情報が含まれることを特徴としたコンテンツの記録再生方法であり、素材に埋め込まれた識別コードを改変することができないという作用を有する。
【００１７】
本発明の請求項２に記載の発明は、連続する第１の素材と第２の素材において第１の素材には第２の素材の識別コードが挿入されていることを特徴としたコンテンツの記録再生方法であり、連続する素材の関連情報となる識別コードを改変することが出来ないという作用を有する。
【００１８】
本発明の請求項３に記載の発明は、第２の素材の識別コードは第１の素材の再生時間終了付近に挿入されたことを特徴とするコンテンツの記録再生方法であり、第１の素材の終了付近まで再生しなければ第２の素材の識別コードを検出することができないという作用を有する。
【００１９】
本発明の請求項４に記載の発明は、第２の素材の識別コードは第１の素材の中に分散して埋め込まれたことを特徴とするコンテンツの記録再生方法であり、第１の素材を全て再生しなくては埋め込まれた第２の素材の識別コードを検出できないという作用を有する。
【００２０】
本発明の請求項５に記載の発明は、第１の素材の再生を開始するステップと第１の素材に挿入された識別コードを検出するステップを有し、第１の素材の再生を開始するステップの後に第１の素材に挿入された識別コードを検出し、検出された第２の素材の再生を開始することを特徴とするコンテンツの記録再生再生方法であり、第１の素材の再生後でなければ第２の素材の再生ができないという作用を有する。
【００２１】
以下、本発明の実施の形態について図１を用いて説明する。
【００２２】
図１はコンテンツ制作システムの図である。図６に示した従来のコンテンツ制作システムと同じものについては同じ番号を付して説明は省略する。
【００２３】
５ａはコンテンツであり、素材Ａ１、Ｂ３、Ｃ２、Ａ３から構成される。ａ１、ｂ３、ｃ２、ａ３は素材にウォーターマークとして埋め込まれた識別コードである。
【００２４】
以上のように構成されたコンテンツ制作システムにおいて、その動作を説明する。
【００２５】
記録再生端末３はネットワーク１を介してサーバー上に記録された素材にアクセスして素材の加工、編集を行う。コンテンツ５ａを作成する場合、各素材にはその素材の識別コードと次に再生する素材の識別コードをウォーターマークとして埋め込んでサーバーに記録する。例えばコンテンツ５ａの最初の素材Ａ１には素材Ａ１の識別コードａ１と次に再生する素材Ｂ３の識別コードｂ３が埋め込まれている。
【００２６】
図２はコンテンツの再生手順を示した図である。記録再生端末からコンテンツを再生する場合、まずステップＳＰ１にてコンテンツの先頭素材の識別コードを入力後ステップＳＰ２に移行する。記録再生端末３では入力された識別コードをもとに素材の検索を開始し、ステップＳＰ３に移行する。検索素材が有る場合はステップＳＰ４に移行して素材の再生を開始する。ステップＳＰ３において検索した素材がない場合はステップＳＰ７に移行してストップ処理を行い終了する。ステップＳＰ４で素材の再生を開始した後に、ステップＳＰ５に移行してウォーターマークの検出処理を開始してステップＳＰ６に移行する。ステップＳＰ６にて検出された識別コードに連続する素材の識別コードが含まれる場合はステップＳＰ２に移行し、次の素材の検索を開始する。ステップＳＰ６において連続する素材の識別コードがない場合はステップＳＰ７に移行してストップ処理を行い終了する。
【００２７】
以上のような再生手順に従って素材に埋め込まれた識別コードを検出しながら連続する素材の再生を行う。
【００２８】
図３はビデオ素材の図である。Ｆ１、Ｆ２、Ｆ３はビデオ素材のフレームである。７は識別コードがウォーターマークとして埋め込まれたフレームである。
【００２９】
図３のようにビデオ素材の終了部に次に再生する素材の識別コードを埋め込んだ場合、各素材の終了まで再生しなくては、次の素材の再生が不可能となる。
【００３０】
さらに、各素材の再生を確実にするには識別コードを分散して素材に埋め込む方法もある。
【００３１】
図４はビデオ素材の図である。８は分割された識別コードの一部が埋め込まれたフレームである。
【００３２】
図４に示すように識別コードが分散してフレーム８に埋め込まれると、フレーム８の全てを再生しなくては次に再生する識別コードを検出することが出来ない。したがってコンテンツを再生する場合に各素材を完全に再生しなくては全てのコンテンツを再生することが出来ない。
【００３３】
たとえば、インターネットの動画配信に応用した場合、コンテンツの中にＣＭを挿入した場合などは、視聴者がＣＭを確実に再生しなくてはコンテンツ全編を見ることが出来なくなり、ＣＭの効果を高めることが可能となる。
【００３４】
本発明の別の実施例について説明する。  図５はコンテンツの記録再生方法を示した図である。コンテンツ５ｂの最初の素材Ａ１には識別コードａ１、ｂ３、ｂ４、ｃ２と再生条件がウォーターマークとして埋め込まれている。
【００３５】
コンテンツ５ｂを再生する場合、素材Ａ１を再生すると埋め込まれた識別コードと再生条件を検出する。再生条件には次の内容が含まれる。
・素材Ａ１に埋め込まれた再生条件
条件Ｊ１の時、次に再生する素材Ｂ３
条件Ｊ２の時、次に再生する素材Ｂ４
条件Ｊ３の時、次に再生する素材Ｃ２
以上のように、条件に応じて素材Ａ１の次に再生する素材を変更することが可能となる。
【００３６】
例えば、素材Ｂ３の記録されているサーバーに何らかのトラブルが発生した場合は、バックアップ素材Ｂ４を再生してコンテンツの再生を継続することができる。また、コンテンツ視聴者の課金状況に応じて、ＣＭの再生をスキップして本編の再生を開始することなどが可能である。
【００３７】
なお、以上の説明ではコンテンツの記録再生にはネットワーク１を介して行っているが、ネットワークを介さずに記録再生端末に内蔵された記録装置を用いても良い。また本発明の実施例では映像素材を用いたが、音声素材であっても識別コードをウォーターマークとして埋め込むことで同様の効果を得ることができる。
【００３８】
【発明の効果】
以上のように本発明では、編集情報がなくてもコンテンツの再生を行うことができるようになり、従来のような編集情報の破壊や改ざんを防止するとともに、コンテンツを製作者の意図通りに正確に再生することが出来るという効果が得られる。
【図面の簡単な説明】
【図１】コンテンツ制作システムの図
【図２】コンテンツの再生手順を示す図
【図３】ビデオ素材の図
【図４】ビデオ素材の図
【図５】コンテンツの記録再生方法を示す図
【図６】コンテンツ制作システムの図
【符号の説明】
１  ネットワーク
２Ａ、２Ｂ、２Ｃ  サーバー
３  記録再生端末
５ａ、５ｂ、１５  コンテンツ
７、８  識別コードの埋め込まれたフレーム
１６  編集情報
Ａ１、Ａ３、Ｂ３、Ｃ２  素材
ａ１、ａ３、ｂ３、ｃ２  識別コード
Ｆ１、Ｆ２、Ｆ３  フレーム
【図１】
2004265527.tif 000003
【図２】
2004265527.tif 000004
【図３】
2004265527.tif 000005
【図４】
2004265527.tif 000006
【図５】
2004265527.tif 000007
【図６】
2004265527.tif 000008